(57)【要約】【課題】  アナログ回線に接続する通信装置がＩＰ網を介してファクシミリ通信を行う場合における通信時間の増加を低減することができる、アナログ回線に接続する通信装置などを提供する【解決手段】  本発明の通信装置は、アナログ回線を介した相手装置からのファクシミリ通信の着信を待機し、着信を受けた際、発信した相手装置を識別する情報である発端末識別情報の通知をアナログ回線から受信する信号待ち処理手段と、発端末識別情報に基づいて、相手装置がＩＰ電話に接続されている通信装置であるかどうかを判断し、相手装置がＩＰ電話に接続されている通信装置である場合、ファクシミリ通信におけるＥＣＭを禁止する信号を相手装置に通知する通信パラメータ設定手段とを有する。【選択図】      図１
2016158130.tif 000002
【特許請求の範囲】
【請求項１】
アナログ回線を介した相手装置からのファクシミリ通信の着信を待機し、前記着信を受けた際、発信した相手装置を識別する情報である発端末識別情報の通知を前記アナログ回線から受信する信号待ち処理手段と、
前記発端末識別情報に基づいて、前記相手装置がＩＰ電話に接続されている通信装置であるかどうかを判断し、前記相手装置がＩＰ電話に接続されている通信装置である場合、前記ファクシミリ通信におけるＥＣＭを禁止する信号を前記相手装置に通知する通信パラメータ設定手段と
を備える通信装置。
【請求項２】
前記信号待ち処理手段は、前記発端末識別情報として、前記相手装置の電話番号を受信し、
前記通信パラメータ設定手段は、前記電話番号の始まりの番号に基づいて、前記相手装置がＩＰ電話に接続されている通信装置であるかどうかを判断する
請求項１記載の通信装置。
【請求項３】
前記通信パラメータ設定手段は、ＥＣＭ禁止とする設定情報を含むディジタル識別信号を送信することにより、前記ＥＣＭを禁止する信号の通知を行う
請求項１または２記載の通信装置。
【請求項４】
アナログ回線を介した相手装置からのファクシミリ通信の着信を待機し、
前記着信を受けた際、発信した相手装置を識別する情報である発端末識別情報の通知を前記アナログ回線から受信し、
前記発端末識別情報に基づいて、前記相手装置がＩＰ電話に接続されている通信装置であるかどうかを判断する判断処理を実行し、
前記相手装置がＩＰ電話に接続されている通信装置である場合、前記ファクシミリ通信におけるＥＣＭを禁止する信号を前記相手装置に通知する
通信方法。
【請求項５】
前記発端末識別情報の通知を前記アナログ回線から受信する際に、前記発端末識別情報として、前記相手装置の電話番号を受信し、
前記判断処理において、前記電話番号の始まりの番号に基づいて、前記相手装置がＩＰ電話に接続されている通信装置であるかどうかを判断する
請求項４記載の通信方法。
【請求項６】
前記ＥＣＭを禁止する信号を前記相手装置に通知する際に、ＥＣＭ禁止とする設定情報を含むディジタル識別信号を送信する
請求項４または５記載の通信方法。
【請求項７】
アナログ回線を介した相手装置からのファクシミリ通信の着信を待機し、前記着信を受けた際、発信した相手装置を識別する情報である発端末識別情報の通知を前記アナログ回線から受信する信号待ち処理と、
前記発端末識別情報に基づいて、前記相手装置がＩＰ電話に接続されている通信装置であるかどうかを判断し、前記相手装置がＩＰ電話に接続されている通信装置である場合、前記ファクシミリ通信におけるＥＣＭを禁止する信号を前記相手装置に通知する通信パラメータ設定処理と
を通信装置に実行させるコンピュータ・プログラム。
【請求項８】
前記信号待ち処理において、前記発端末識別情報として、前記相手装置の電話番号を受信し、
前記通信パラメータ設定処理において、前記電話番号の始まりの番号に基づいて、前記相手装置がＩＰ電話に接続されている通信装置であるかどうかを判断する
請求項７記載のコンピュータ・プログラム。
【請求項９】
前記通信パラメータ設定処理において、ＥＣＭ禁止とする設定情報を含むディジタル識別信号を送信することにより、前記ＥＣＭを禁止する信号の通知を行う
請求項７または８記載のコンピュータ・プログラム。
【発明の詳細な説明】
【技術分野】
【０００１】
本発明は、ファクシミリ通信が可能な通信装置における通信制御技術に関する。
【背景技術】
【０００２】
ファクシミリ通信は、アナログ回線であるＰＳＴＮ（Ｐｕｂｌｉｃ  Ｓｗｉｔｃｈｅｄ  Ｔｅｌｅｐｈｏｎｅ  Ｎｅｔｗｏｒｋ）回線、または構内回線を介して行うことが一般的であった。しかし、近年、ＩＰ（Ｉｎｔｅｒｎｅｔ  Ｐｒｏｔｏｃｏｌ）網の進歩により、ＶｏＩＰ（Ｖｏｉｃｅ  ｏｖｅｒ  ＩＰ）機能を有するＩＰ電話によるファクシミリ通信が増加している。以下では、アナログ回線に接続するファクシミリ装置（通信装置）と区別するために、ＩＰ電話に接続されたファクシミリ装置を「ＩＰファクシミリ装置」と言う。
【０００３】
そのようなＩＰ電話の特性として、パケットのロスおよび伝送遅延が発生することが知られている。このパケットのロスおよび伝送遅延が原因となって、アナログ回線に接続するファクシミリ装置が、ＩＰファクシミリ装置と通信する場合、再送、および受信待ちタイムアウトによる通信エラー（通信異常）等が発生することがある。その結果として、アナログ回線に接続するファクシミリ装置とＩＰファクシミリ装置との通信において、通信時間が増加する、または、通信異常による通信切断が発生するという問題が発生している。また、この問題は、これらのファクシミリ装置間の通信が「ＥＣＭ（Ｅｒｒｏｒ  Ｃｏｒｒｅｃｔｉｏｎ  Ｍｏｄｅ）あり」の設定で行われた場合に、特に顕著に現れることが知られている。ＥＣＭとは、受信データの誤りを修正する機能である。
【０００４】
このようなＩＰ網を介するファクシミリ通信に関連する技術として、特許文献１には、ＩＰ網のような誤り訂正機能を有するトランスポートプロトコルを用いる場合、ＥＣＭ手順を省略する通信装置が開示されている。この特許文献１に記載された通信装置は、インターネット網におけるセッション制御プロトコルであるＳＩＰ（Ｓｅｓｓｉｏｎ  Ｉｎｉｔｉａｔｉｏｎ  Ｐｒｏｔｏｃｏｌ）プロトコルで送られるＳＩＰメッセージから、トランスポートプロトコルの情報を読みだす。そして、通信装置は、誤り訂正機能を有するＴＣＰを用いてファクシミリ通信を実行する場合には、インターネットにおける標準のファクシミリ手順であるＩＴＵ−Ｔ勧告Ｔ．３８にしたがって、ＥＣＭ機能を省略する信号を送出する。具体的には、受信側であった場合、通信装置は、ＥＣＭ機能を有していないことを示すＤＩＳ信号を送出する。一方、送信側であった場合、通信装置は、受信側がＥＣＭ機能を有していることを示すＤＩＳを受信したとしても、ＥＣＭ機能を用いずにファクシミリ通信を実行することを示すＤＣＳ信号を送出する。このようにして、特許文献１に記載された通信装置においては、このようにして、通信装置が、ＩＰ網を介して行うファクシミリ通信におけるＥＣＭ機能を省略することにより効率よく通信を行うことができる。
【０００５】
また、特許文献２には、ＩＰ網経由で接続されるファクシミリ装置に対して、低速のファクシミリ送信処理を実行する通信端末装置が開示されている。この特許文献２に記載された通信端末装置においては、主制御部が、相手（受信側）のファクシミリ装置に対する発呼処理において、ＩＰ網側から受信される情報信号に基づいて、相手のファクシミリ装置がＩＰ網経由で接続されるか否かを判断する。主制御部は、ＩＰ網経由で接続されると判断した場合、Ｖ．３４モードのファクシミリ送信処理よりも低速のモードのファクシミリ送信処理を実行する。このようにして、特許文献２に記載された通信端末装置は、ＩＰ網経由で行うファクシミリ送信処理における、高速通信に起因する通信エラーの発生を防止することができる。
【０００６】
また、特許文献３には、ＩＰ電話網を介したデータ通信における通信エラーを軽減する通信端末装置が開示されている。この特許文献３に記載された通信端末装置においては、主制御部が、発呼する際、ダイヤルする電話番号に基づいて、相手方のファクシミリ装置がＩＰ電話網に接続されていることを検出する。相手方のファクシミリ装置がＩＰ電話網に接続されていることを検出した場合、主制御部は、ハイスピードフラグをオフにすることにより、ファックスモデムの最大データ速度と最大シンボルレートとの少なくとも一方を下げる。このようにして、特許文献３に記載された通信端末装置は、ＩＰ電話網経由で行うデータ通信における、モデムのデータ速度またはシンボルレートが高いことに起因する通信エラーを軽減することができる。
【先行技術文献】
【特許文献】
【０００７】
【特許文献１】特開２００８−１０９６３８号公報
【特許文献２】特開２００７−０４３４２０号公報
【特許文献３】特開２００５−１３００３６号公報
【発明の概要】
【発明が解決しようとする課題】
【０００８】
しかしながら、特許文献１に開示された通信装置は、アナログ回線に接続するファクシミリ装置には適用できないという問題がある。この理由は、特許文献１に記載された通信装置は、ＳＩＰプロトコルおよびＴ．３８標準ファクシミリ手順を制御するＩＰファクシミリ装置の機能を要するからである。すなわち、アナログ回線に接続するファクシミリ装置がＩＰファクシミリ装置と通信する場合において、アナログ回線に接続するファクシミリ装置が、特許文献１に開示された通信装置の機能を用いて、上記の問題を解決することはできないということである。
【０００９】
また、特許文献２または３に開示された通信端末装置は、通信網において利用可能な通信速度より低速で通信を行うので、通信時間が増加するという問題がある。
【００１０】
本発明の一つの目的は、アナログ回線に接続する通信装置（ファクシミリ装置）がＩＰ網を介してファクシミリ通信を行う場合における通信時間の増加を低減することができる、アナログ回線に接続する通信装置などを提供することにある。
【課題を解決するための手段】
【００１１】
上記の目的を達成すべく、本発明の一態様に係る通信装置は、以下の構成を備えることを特徴とする。
【００１２】
すなわち、本発明の一態様に係る通信装置は、
アナログ回線を介した相手装置からのファクシミリ通信の着信を待機し、前記着信を受けた際、発信した相手装置を識別する情報である発端末識別情報の通知を前記アナログ回線から受信する信号待ち処理手段と、
前記発端末識別情報に基づいて、前記相手装置がＩＰ電話に接続されている通信装置であるかどうかを判断し、前記相手装置がＩＰ電話に接続されている通信装置である場合、前記ファクシミリ通信におけるＥＣＭを禁止する信号を前記相手装置に通知する通信パラメータ設定手段とを備える。
【００１３】
また、上記の同目的を達成すべく、本発明の一態様に係る通信方法は、情報処理装置によって、
アナログ回線を介した相手装置からのファクシミリ通信の着信を待機し、
前記着信を受けた際、発信した相手装置を識別する情報である発端末識別情報の通知を前記アナログ回線から受信し、
前記発端末識別情報に基づいて、前記相手装置がＩＰ電話に接続されている通信装置であるかどうかを判断する判断処理を実行し、
前記相手装置がＩＰ電話に接続されている通信装置である場合、前記ファクシミリ通信におけるＥＣＭを禁止する信号を前記相手装置に通知する。
また、同目的は、上記の各構成を有する通信装置、並びに対応する方法を、情報処理装置によって実現するコンピュータ・プログラム、およびそのコンピュータ・プログラムが格納されている、情報処理装置に読み取り可能な記憶媒体によっても達成される。
【発明の効果】
【００１４】
本発明には、アナログ回線に接続する通信装置がＩＰ網を介してファクシミリ通信を行う場合における通信時間の増加を低減できるという効果がある。
【図面の簡単な説明】
【００１５】
【図１】本発明の第１および第２の実施形態に係る通信装置１の構成を示すブロック図である。
【図２】第２の実施形態に係る通信システムにおける通信環境の一例を示す構成図である。
【図３】第２の実施形態において通信制御部２が行う動作を示すフローチャートである。
【図４】第２の実施形態における通信装置１と相手ファクシミリ装置２０との間における通信動作の一例を示す概念図である。
【図５】本発明の第１および第２の実施形態に係る通信装置１および通信システムに適用可能な通信装置の構成を例示する図である。
【発明を実施するための形態】
【００１６】
次に、本発明の実施形態について図面を参照して詳細に説明する。
【００１７】
＜第１の実施形態＞
図１は、本発明の第１および第２の実施形態に係る通信装置１の構成を示すブロック図である。図１を参照すると、本実施形態に係る通信装置１は、通信制御部２を含む。通信制御部２は、信号制御部３、信号待ち処理部４、および通信パラメータ設定部５を含む。
【００１８】
通信装置１は、通信ネットワーク１０００を介して、相手装置（図示せず）とファクシミリ通信を行うことができる。通信ネットワーク１０００は、例えば、公衆回線網などのアナログ回線である。なお、通信ネットワーク１０００と相手装置との間には、図示しない他の通信網を介在することができる。
【００１９】
通信装置１は、ＣＰＵ（Ｃｅｎｔｒａｌ  Ｐｒｏｃｅｓｓｉｎｇ  Ｕｎｉｔ：図示せず）を用いて実行されるコンピュータ・プログラム（ソフトウェア・プログラム）の制御により動作する一般的な情報処理装置（コンピュータ）によって構成されても良い。または、通信装置１の各部が、専用のハードウェアデバイス、または論理回路によって構成されても良い。なお、この通信装置１を実現する構成例については、図５を参照して後述する。
【００２０】
通信制御部２は、例えば、ＮＣＵ（Ｎｅｔｗｏｒｋ  Ｃｏｎｔｒｏｌ  Ｕｎｉｔ）制御部６およびモデム制御部７などを介して、相手装置との通信を行うことができる。
【００２１】
信号制御部３は、ファクシミリ通信プロトコルの制御を行うことができる。
【００２２】
信号待ち処理部４は、信号制御部３を介して、通信ネットワーク１０００を介した相手装置からのファクシミリ通信の着信（着呼）を待機する信号待ちの処理を行う。着信を受けた際、信号待ち処理部４は、発信した相手装置を識別する情報である発端末識別情報（以下、「発ＩＤ」とも言う）の通知を通信ネットワーク１０００から受け取る。ここで、「発ＩＤの通知を受け取る」は、「発ＩＤを表す発ＩＤ情報を受信する」とも言い換えることができる。
【００２３】
通信パラメータ設定部５は、着信した相手装置の発ＩＤに基づいて、相手装置がＩＰ電話に接続された通信装置かどうかを判断する。通信パラメータ設定部５は、相手装置がＩＰ電話に接続されている通信装置である場合、信号制御部３を介して、ファクシミリ通信におけるＥＣＭを禁止するの信号を相手装置に通知する。
【００２４】
このように、本実施形態によれば、ＩＰ電話に接続された相手装置から着信した際に、ファクシミリ通信におけるＥＣＭの禁止を実現することができる。
【００２５】
背景技術欄において上述したように、アナログ回線に接続する通信装置（ファクシミリ装置）がＩＰ電話に接続されたＩＰファクシミリ装置と通信する際の問題である通信時間の増加または通信異常（切断）は、「ＥＣＭあり」の設定（通信パラメータ）の場合に顕著となる傾向がある。これは、アナログ回線に接続する一般的な通信装置は、「ＥＣＭあり」の場合における信号待ちタイマーが、「ＥＣＭなし」の場合における信号待ちタイマーより短い時間であることが一因とみられる。すなわち、一般的な通信装置は、「ＥＣＭあり」の場合において、ＩＰ網におけるパケットのロスおよび伝送遅延に対して、信号待ちタイムアウト（通信エラー）が発生しやすいと考えられる。したがって、通信装置１は、ＥＣＭ禁止とすることにより、ＩＰ網を介したファクシミリ通信における通信異常の発生を低減することができる。その結果として、通信装置１は、通信異常の発生による通信時間の増加または通信切断等の問題を低減することができる。
【００２６】
以上説明したように、本実施形態に係る通信装置１は、アナログ回線に接続する通信装置がＩＰ網を介してファクシミリ通信を行う場合における通信時間の増加を低減することができるという効果がある。
【００２７】
その理由は、通信パラメータ設定部５が、発ＩＤに基づいて判別したＩＰ電話に接続された通信装置に対して、ＥＣＭ禁止の信号を通知することができるからである。
【００２８】
また、通信装置１は、特許文献２または３に開示された通信端末装置のように通信を低速に制限することがないので、通信網において利用可能な通信速度で通信することができるという効果もある。
【００２９】
その理由は、通信パラメータ設定部５は、通信速度の設定を変更せず（通常のままとして）、ＥＣＭ禁止とする信号を通知することにより、通信異常の発生を低減するからである。
【００３０】
＜第２の実施形態＞
次に、上述した第１の実施形態を基本とする第２の実施形態について説明する。以下では、第２の実施形態に係る特徴的な部分を中心に説明し、第１の実施形態と同様な構成を有する第２の実施形態の構成要素には、第１の実施形態で付した参照符号と同一の参照符号を付し、その構成要素について重複する詳細な説明は省略する。
【００３１】
まず、図２を参照して、以下に本実施形態の構成を説明する。図２は、第２の実施形態に係る通信システムにおける通信環境の一例を示す構成図である。
【００３２】
図２を参照すると、本実施形態に係る通信システムは、通信装置１、ゲートウェイ装置１０、相手ファクシミリ装置２０、およびＶｏＩＰアダプタ装置２１を含む。
【００３３】
通信装置１は、公衆回線網（アナログ網）１００１を介して、ゲートウェイ装置１０と通信可能である。ゲートウェイ装置１０は、通信装置１がＩＰ網１００２に接続する相手ファクシミリ装置２０と通信を行う際に、公衆回線網１００１とＩＰ網１００２とを接続する。相手ファクシミリ装置２０は、ＶｏＩＰアダプタ装置２１を介して、ＩＰ網１００２に接続される。すなわち、本実施形態における通信装置１は、相手ファクシミリ装置２０と通信する際に、公衆回線網１００１、ゲートウェイ装置１０、ＩＰ網１００２、およびＶｏＩＰアダプタ装置２１を介する。
【００３４】
通信装置１および相手ファクシミリ装置２０は、複合機またはファクシミリ装置などのファクシミリ通信が可能な装置である。通信装置１および相手ファクシミリ装置２０は、ファクシミリ通信可能な一般的な情報処理装置（コンピュータ）であってもよい。ここで、一般的な情報処理装置とは、ＣＰＵ（図示せず）を用いて実行されるコンピュータ・プログラム（ソフトウェア・プログラム）の制御により動作する情報処理装置である。または、通信装置１および相手ファクシミリ装置２０の各部が、専用のハードウェアデバイス、または論理回路によって構成されても良い。なお、この通信装置１および相手ファクシミリ装置２０を実現する構成例については、図５を参照して後述する。
【００３５】
通信装置１は、図１に示す通り、第１の実施形態における通信装置１を基本とする。第１の実施形態と同様に、通信装置１は、通信制御部２を含む。通信制御部２は、信号制御部３、信号待ち処理部４、および通信パラメータ設定部５を含む。
【００３６】
本実施形態において、信号待ち処理部４は、相手ファクシミリ装置２０からの着信を受けた際、相手ファクシミリ装置２０の発ＩＤとして電話番号を受け取る。この電話番号は、公衆回線網１００１のファクシミリサービスによって、通信装置１に対して通知される。
【００３７】
また、本実施形態において、通信パラメータ設定部５は、相手ファクシミリ装置２０がＩＰ電話に接続されているかどうかを判断する方法の一例として、電話番号の先頭が「０５０」であるかどうかによって判断する。なお、電話番号に基づいてＩＰ電話に接続されていることを判断する方法としては、他にも一般的に知られた技術を採用することができる。
【００３８】
通信装置１の構造と内容は、上述した点以外は、第１の実施形態と同様であるので、重複する詳細な説明は省略する。
【００３９】
次に、上述した構成を備える本実施形態の動作について詳細に説明する。
【００４０】
図３は、第２の実施形態において通信制御部２が行う動作を示すフローチャートである。また、図４は、第２の実施形態における通信装置１と相手ファクシミリ装置２０との間における通信動作の一例を示す概念図である。以下では、図４に示すように、相手ファクシミリ装置２０が通信装置１に対して発呼した場合を具体例として、動作を説明する。
【００４１】
まず、図３に示すように、通信装置１では、信号待ち処理部４が信号待ちしている状態とする（ステップＳ１０）。この状態において、相手ファクシミリ装置２０が、図４に示すように、通信装置１に対して発呼する。発呼後、相手ファクシミリ装置２０は、呼び出し中の状態となる。通信装置１に対する発呼は、公衆回線網１００１からの着呼として、通信装置１において処理される。
【００４２】
通信装置１では、ＮＣＵ制御部６、モデム制御部７、信号制御部３を介して、信号待ち処理部４が発ＩＤの通知を受信する（図３のステップＳ１１）。具体的には、図４を参照すると、信号待ち処理部４は、相手ファクシミリ装置２０の発ＩＤ情報２００として電話番号を受信する。相手ファクシミリ装置２０の電話番号は、接続されているＩＰ電話の番号であるので、「０５０」で始まることとする。信号待ち処理部４は、受信した電話番号を通信パラメータ設定部５に対して出力する。
【００４３】
なお、ステップ１１において、信号待ち処理部４が発ＩＤの通知を受信する際に、ＮＣＵ制御部６およびモデム制御部７は着呼制御を行う。また、信号制御部３はファクシミリ通信に関するプロトコルの制御を行う。以下の通信の場面におけるＮＣＵ制御部６、モデム制御部７、および信号制御部３が行う発着呼制御およびプロトコル制御の説明は省略する。
【００４４】
図４に示すように、通信装置１に対して発ＩＤ情報２００が通知されると、通信装置１と公衆回線網１００１との通信は一旦切れる。通信装置１が公衆回線網１００１から次の受信を受けた際に、相手ファクシミリ装置２０および通信装置１は、相互通信が可能な接続の状態となる。
【００４５】
通信パラメータ設定部５は、相手はＩＰ電話に接続された装置かどうかを判断する（図３のステップＳ１２）。本実施形態では、通信パラメータ設定部５は、発ＩＤ情報２００として受信した電話番号の先頭が「０５０」であることにより、相手ファクシミリ装置２０はＩＰ電話に接続された装置であると判断する。
【００４６】
ステップＳ１２において、相手がＩＰ電話に接続された装置でないと判断した場合、通信パラメータ設定部５は何もしなくてよい。その後は、ＮＣＵ制御部６、モデム制御部７、信号制御部３によって、通常の呼接続処理が行われる（ステップＳ２０）。ＥＣＭの有無は、呼接続処理において、通信装置１と相手の装置の能力に応じて決定される。その後、通信装置１は、通常の呼接続処理において決定されたＥＣＭの設定にしたがって、ファクシミリデータの送受信を行う（ステップＳ２１）。すなわち、通信装置１は、ＥＣＭありと決定された場合には、ＥＣＭありの送受信を行うことがありえる。
【００４７】
一方、ステップＳ１２において相手がＩＰ電話に接続された装置であると判断した場合、通信パラメータ設定部５は、相手ファクシミリ装置２０に対して、ＥＣＭ禁止の信号を送信する（ステップＳ１３）。本実施形態では、通信パラメータ設定部５は、信号制御部３を介して、ＥＣＭ禁止（ＥＣＭなし）とする設定情報（通信パラメータ）を含むＤＩＳ（ディジタル識別信号）およびＮＳＦ（非標準装置信号）を送信する。
【００４８】
具体的には、図４に示すように、通信パラメータ設定部５は、通信可能となった後、標準ファクシミリ手順にしたがって、まず、ＣＥＤ（被呼局確認信号）３００を送信する。そして、通信パラメータ設定部５は、ＮＳＦ、ＣＳＩ（被呼局識別信号）、およびＥＣＭ禁止を表すＤＩＳを含むＮＳＦ／ＣＳＩ／ＤＩＳ３０１を送信する。
【００４９】
上述したＣＥＤ、ＮＳＦ、ＣＳＩ、およびＤＩＳ、並びに後述するＴＳＩおよびＤＣＳの各信号の意味および構造は、ＩＴＵ−Ｔ勧告Ｔ．３０に説明されているので、本実施形態における詳細な説明は省略する。また、上述した「ＮＳＦ／ＣＳＩ／ＤＩＳ３０１」および後述する「ＴＳＩ／ＤＣＳ４００」という記述における「／」の文字は単なる区切り記号である。
【００５０】
なお、ＮＳＦは、ＩＴＵ−Ｔ勧告の範囲外として、メーカー独自に定義してもよいＤＩＳ相当の信号である。したがって、通信パラメータ設定部５は、必ずしも、ＮＳＦを送信しなくてもよい。
【００５１】
相手ファクシミリ装置２０は、通常、受信したＤＩＳに応じて、ＥＣＭ禁止とする機能を設定する信号を通信装置１に対して送信する。具体的には、相手ファクシミリ装置２０は、標準ファクシミリ手順に従って、ＴＳＩ（送信局識別信号）および、ＥＣＭ禁止（ＥＣＭなし）を表す設定情報を含むディジタル命令信号（ＤＣＳ）を含むＴＳＩ／ＤＣＳ４００を、通信装置１に対して送信する。そして、相手ファクシミリ装置２０は、これ以降に行うファクシミリデータの送受信において「ＥＣＭなし」の動作を行う。
【００５２】
通信装置１は、ＴＳＩ／ＤＣＳ４００を受信することにより、これ以降に行うファクシミリデータの送受信において「ＥＣＭなし」の動作を行う（ステップＳ１４）。
【００５３】
このようにして、本実施形態における通信装置１は、ＩＰ電話に接続された相手ファクシミリ装置２０から着呼した場合に、ファクシミリ（データ）通信におけるＥＣＭの禁止を実現することができる。
【００５４】
以上説明したように、本実施形態に係る通信装置１は、第１の実施形態と同様に、こう公衆回線（アナログ）網１００１に接続する通信装置１がＩＰ網を介してファクシミリ通信を行う場合における通信時間の増加を低減することができるという効果がある。
【００５５】
その理由は、通信パラメータ設定部５が、電話番号（発ＩＤ）に基づいてＩＰ電話に接続されていると判断した相手ファクシミリ装置２０に対して、ＥＣＭ禁止の信号を通知することができるからである。
【００５６】
また、通信装置１は、通信網（公衆回線網１００１およびＩＰ網１００２）において、通常利用可能な通信速度で通信することができるという効果もある。また、本実施形態に係る通信装置１は、第１の実施形態と同様に、通信網において利用可能な通信速度で通信することができるという効果もある。
【００５７】
その理由は、通信パラメータ設定部５は、通信速度の設定を変更せず（通常のままとして）、ＥＣＭ禁止とする信号を通知することにより、通信異常の発生を低減するからである。
＜各実施形態を実現可能な構成例＞
上述した各実施形態において図１に示した各部は、それぞれ独立したハードウェア回路で構成されていてもよいし、ソフトウェアプログラムの機能（処理）単位（ソフトウェアモジュール）と捕らえることができる。ただし、これらの図面に示した各部の区分けは、説明の便宜上の構成であり、実装に際しては、様々な構成が想定され得る。このような場合のハードウェア環境の一例を、図５を参照して説明する。
【００５８】
図５は、本発明の第１および第２の実施形態に係る通信装置１および通信システムに適用可能なハードウェア環境の構成を例示する図である。すなわち、図５は、上述した各実施形態における通信装置１、および相手ファクシミリ装置２０の少なくとも何れかを実現可能な通信装置（情報処理装置）の構成であって、上述した各実施形態における各機能を実現可能なハードウェア環境の一例を示す。
【００５９】
図５に示した通信装置１００は、ＣＰＵ１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、操作表示部１０４、画情報読取部１０５、画情報出力部１０６、通信インタフェース１０７、画情報蓄積部１０８、符号化複号化部１０９を備え、これらがバス１１０を介して接続された構成を有する。なお、図５に示した通信装置１００において、操作表示部１０４、画情報読取部１０５、および画情報出力部１０６は常時設けられる必要はない。
【００６０】
通信インタフェース１０７は、上述した各実施形態において、通信ネットワーク１０００を介して行う通信装置１および相手通信装置２０における通信を実現する一般的な通信手段である。例えば、通信ネットワーク１０００がアナログ回線である場合、通信インタフェース１０７は、ＮＣＵおよびモデムによって構成されてもよい。
【００６１】
ＲＯＭ１０２には、図示しないプログラム群が格納されている。プログラム群とは、例えば、上述した図１に示した各ブロック（各部）に対応する機能を実現するためのコンピュータ・プログラムである。
【００６２】
操作表示部１０４は、通信装置１００に対する操作を受け付ける文字、数字、および機能指定等の各種のキーを備え、それらのキーから操作に関する入力を受け付ける。また、操作表示部１０４は、ディスプレイまたは液晶表示装置などに対して、通信装置１００の動作状態、受信した画像データ、または、送信する画像データなどを表示する。操作表示部１０４は、タッチパネルによって、各種キーおよびディスプレイなどを兼ねてもよい。
【００６３】
画情報読取部１０５は、スキャナなどにより原稿を読み取り、画像データを出力する。
【００６４】
画情報出力部１０６は、プリンタなどにより、他の通信装置からファクシミリ通信によって受信したファクシミリデータを印刷する。
【００６５】
画情報蓄積部１０８は、送信するファクシミリデータ、または、受信したファクシミリデータを記憶する。画情報蓄積部１０８は、半導体メモリ装置またはディスク装置などにより実現する。
【００６６】
符号化複号化部１０９は、画情報読取部１０５によって読み取られた画像データを送信可能なファクシミリデータとして変換する符号化処理を行う。また、符号化復号化部１０９は、受信したファクシミリデータを画情報出力部１０６が出力可能な画像データとして変換する復号処理を行う。
【００６７】
このような構成において、ＣＰＵ１０１は、通信装置１００の全体の動作を司る。
【００６８】
そして、上述した各実施形態を例に説明した本発明は、各実施形態の説明において参照したブロック構成図（図１）またはフローチャート（図３）の機能を実現可能なコンピュータ・プログラムを供給した後、そのコンピュータ・プログラムを、通信装置１００のＣＰＵ１０１に読み出して実行することによって達成される。また、この通信装置内に供給されたコンピュータ・プログラムは、読み書き可能な一時記憶メモリであるＲＡＭ１０３または図示しないハードディスク装置などの不揮発性の記憶デバイス（記憶媒体）に格納すれば良い。
【００６９】
また、前記の場合において、当該各装置内へのコンピュータ・プログラムの供給方法は、ＣＤ−ＲＯＭ等の各種記録媒体を介して当該装置内にインストールする方法や、通信ネットワーク１０００を介して外部よりダウンロードする方法等のように、現在では一般的な手順を採用することができる。そして、このような場合において、本発明は、係るコンピュータ・プログラムを構成するコード、あるいは係るコードが記録されたところの、コンピュータ読み取り可能な記憶媒体によって構成されると捉えることができる。
【符号の説明】
【００７０】
１、１００    通信装置
２    通信制御部
３    信号制御部
４    信号待ち処理部
５    通信パラメータ設定部
６    ＮＣＵ制御部
７    モデム制御部
１０    ゲートウェイ装置
２０    相手ファクシミリ装置
２１    ＶｏＩＰアダプタ装置
１０１    ＣＰＵ
１０２    ＲＯＭ
１０３    ＲＡＭ
１０４    操作表示部
１０５    画情報読取部
１０６    画情報出力部
１０７    通信インタフェース
１０８    画情報蓄積部
１０９    符号化復号化部
１１０    バス
２００    発ＩＤ情報（発端末識別情報）
３００    ＣＥＤ
３０１    ＮＳＦ／ＣＳＩ／ＤＩＳ
４００    ＴＳＩ／ＤＣＳ
１０００    通信ネットワーク
１００１    公衆回線網（アナログ網）
１００２    ＩＰ網
【図１】
2016158130.tif 000003
【図２】
2016158130.tif 000004
【図３】
2016158130.tif 000005
【図４】
2016158130.tif 000006
【図５】
2016158130.tif 000007